(57)【要約】【課題】  スポーツ中に歯が欠損することを防止することができるスポーツ用マウスピースを提供する。【解決手段】  左右の臼歯の咬合面を覆う一対の保護部３，３と、保護部３，３同士を連結する係止部材５とを備える。各保護部３は、臼歯の咬合部に対応する位置に配置される板状片７と、この板状片７の左右方向外側端縁から下方へ矩形板状に延出して形成される外側片１１と、板状片７の左右方向内側端縁から下方へ矩形板状に延出して形成される内側片１３とを備え、保護部３は、断面下向き略コ字形状に形成されている。外側片１１の下端部１１ａは、左右方向内側へ断面略円孤状に膨出して形成されている。係止部材５は、略Ｕ字形状に形成されて歯列に沿って歯の裏側を覆うよう配置され、その両端部５ａ，５ａは、各保護部３の内側片１３の下端部に連設されている。【選択図】  図１
2014014499.tif 000002
【特許請求の範囲】
【請求項１】
左右臼歯の咬合面を覆う一対の板状片と、
この各板状片の左右方向外側端縁から下向きに連設される外側片と、
前記各板状片の左右方向内側端縁から下向きに連設される内側片と、
前記内側片同士または前記外側片同士を連結し、下側の歯の裏側または表側を覆うよう略Ｕ字形状に形成された係止部材とを備え、
前記板状片は、上下の臼歯間に介在し得る大きさの板状であって、前端の厚さが後端の厚さの１．５倍〜３倍となるように前端から後端にかけて漸次薄くなるように形成されていると共に、前半部より後半部が上方に持ち上がるように弓形に傾斜しており、
前記板状片と前記外側片と前記内側片とによって左右の下側の臼歯を上方から覆うように断面下向きコ字形状に形成されており、
前記外側片の下端部は、左右方向内側へ膨出して形成されており、
前記内側片と前記外側片とにより下側の臼歯を挟み込んだ状態において、前記外側片の下端部が、下側の臼歯の側面の凹みに入り込む
ことを特徴とするスポーツ用マウスピース。
【請求項２】
前記係止部材は、前記内側片または前記外側片の下端部に連設されており、口腔内に装着した状態で、歯と歯茎の境界部に位置する
ことを特徴とする請求項１に記載のスポーツ用マウスピース。
【請求項３】
シリコンゴム、ウレタンゴム、ゴム、ＥＶＡ樹脂、またはエラストマーにより一体形成されてなる
ことを特徴とする請求項１または請求項２に記載のスポーツ用マウスピース。
【発明の詳細な説明】
【技術分野】
【０００１】
本発明は、スポーツをする際に口腔内に入れて使用するマウスピースに関するものである。
【背景技術】
【０００２】
ゴルフ、野球、自転車、スキーおよびライフルなどのスポーツをする際、競技者は、力を入れるために歯を強く噛み合わせて食いしばることがある。その際、歯に大きな負荷がかかり、歯が欠損するおそれがある。
【発明の概要】
【発明が解決しようとする課題】
【０００３】
本発明が解決しようとする課題は、口腔内に装着し、スポーツ中における歯の欠損を防止するスポーツ用マウスピースを提供することにある。
【課題を解決するための手段】
【０００４】
本発明は、前記課題を解決するためになされたもので、請求項１に記載の発明は、左右臼歯の咬合面を覆う一対の板状片と、この各板状片の左右方向外側端縁から下向きに連設される外側片と、前記各板状片の左右方向内側端縁から下向きに連設される内側片と、前記内側片同士または前記外側片同士を連結し、下側の歯の裏側または表側を覆うよう略Ｕ字形状に形成された係止部材とを備え、前記板状片は、上下の臼歯間に介在し得る大きさの板状であって、前端の厚さが後端の厚さの１．５倍〜３倍となるように前端から後端にかけて漸次薄くなるように形成されていると共に、前半部より後半部が上方に持ち上がるように弓形に傾斜しており、前記板状片と前記外側片と前記内側片とによって左右の下側の臼歯を上方から覆うように断面下向きコ字形状に形成されており、前記外側片の下端部は、左右方向内側へ膨出して形成されており、前記内側片と前記外側片とにより下側の臼歯を挟み込んだ状態において、前記外側片の下端部が、下側の臼歯の側面の凹みに入り込むことを特徴とするスポーツ用マウスピースである。
【０００５】
請求項２に記載の発明は、前記係止部材は、前記内側片または前記外側片の下端部に連設されており、口腔内に装着した状態で、歯と歯茎の境界部に位置することを特徴とする請求項１に記載のスポーツ用マウスピースである。
【０００６】
さらに、請求項３に記載の発明は、シリコンゴム、ウレタンゴム、ゴム、ＥＶＡ樹脂、またはエラストマーにより一体形成されてなることを特徴とする請求項１または請求項２に記載のスポーツ用マウスピースである。
【発明の効果】
【０００７】
本発明によれば、下側の臼歯への装着が確実となると共に、上下の臼歯に対する密着性が高くなり、さらに、異物感が少なく装着でき、スポーツを行っている間、安定して装着でき、スポーツ中に歯が欠損することを防止することができるスポーツ用マウスピースを提供できる。
【図面の簡単な説明】
【０００８】
【図１】本発明のスポーツ用マウスピースの一実施例を示す斜視図である。
【図２】図１の底面図である。
【図３】図１の右側面図である。
【図４】図２のＡ−Ａ断面図である。
【図５】図１のスポーツ用マウスピースの装着状態を示す断面図である。
【図６】保護部に下側の臼歯がはめ込まれ、噛み合わせた状態を示す図である。
【発明を実施するための形態】
【０００９】
以下、本発明のスポーツ用マウスピースについて図面に示す実施例に基づき具体的に説明する。
【００１０】
図１〜図３は、本発明のスポーツ用マウスピースの一実施例を示す図であり、図１は斜視図、図２は底面図、図３は右側面図である。また、図４は、図２のＡ―Ａ断面図である。
【００１１】
本実施例のスポーツ用マウスピース１は、左右の臼歯の咬合面を覆う一対の保護部３，３と、この保護部３，３同士を連結する係止部材５とを備える。
【００１２】
各保護部３は、臼歯の咬合部に対応する位置に配置される板状片７と、この板状片７の左右方向外側端縁から下方へ矩形板状に延出して形成される外側片１１と、板状片７の左右方向内側端縁から下方へ矩形板状に延出して形成される内側片１３とを備え、保護部３は、断面下向き略コ字形状に形成されている。
つまり、本実施例のマウスピース１の左右両端部には、外側片１１、内側片１３および板状片７により下向き略コ字形状溝が形成されている。
【００１３】
外側片１１の下端部１１ａは、左右方向内側へ断面略円孤状に膨出して形成されている。
【００１４】
各保護部３の板状片７の厚さは、約０．５ｍｍ〜５ｍｍ程度とされている。
また、板状片７は、前端７ａの厚みが、後端７ｂの厚みの１．５倍〜３倍となるように前端７ａから後端７ｂに行くにしたがって薄くなるように形成されている。
例えば、前端７ａの厚みは、１ｍｍ〜４ｍｍとされ、後端７ｂの厚みは、０．５ｍｍ〜２ｍｍとされる。本実施例では、板状片７は、その前端７ａの厚みが後端７ｂの厚みの２倍とされている。
【００１５】
さらに、板状片７は、前後方向中央部が下方へ若干下がった湾曲面状とされる。
具体的には、板状片７は、後半部が前半部より上方に持ち上がるように弓形に傾斜して形成されている。
【００１６】
外側片１１、および内側片１３は、それぞれ奥側へ行くに従って上下寸法が短くなるよう形成されている。
【００１７】
また、外側片１１、および内側片１３は、板状片７の後端部よりやや前方にて終わるように、板状片７の途中まで形成されている。
【００１８】
さらに、各保護部３の板状片７の左右両端部に形成される外側片１１および内側片１３は、下方に行くに従って互いに近接するよう形成されている。
【００１９】
係止部材５は、略Ｕ字形状に形成されて歯列に沿って歯の裏側を覆うよう配置され、その両端部５ａ，５ａは、各保護部３の内側片１３の下端部に連設されている。
【００２０】
係止部材５を湾曲形状としたことにより、歯列との適合性がよくなった。また、歯へのフィットをより確実なものとするために、係止部材５は、歯列よりもやや広がった略Ｕ字形状に形成されている。すなわち、係止部材５の左右両端部５ａ，５ａが、左右方向外側にやや拡げられた形状とされている。これによって、スポーツ用マウスピース１を口腔内に装着する際には、係止部材５の左右両端部５ａ，５ａを互いにやや近接するよう弾性変形させて歯に装着し、装着後弾性復元により歯茎の内側に密着することになる。
【００２１】
係止部材５は、その両端部５ａ，５ａが各保護部３の内側片１３の下端部に連設されている。
具体的には、板状片７の上面と係止部材５の上端辺との間隔ｘは、約３〜８ｍｍとされるのが好ましく、より好ましくは、４〜６ｍｍとされ、図示例では５ｍｍとされている。
間隔ｘが小さすぎると舌に当たり易く、大きすぎると安定性に欠ける。
また、係止部材５の上下寸法（高さ寸法）ｙは、約３〜８ｍｍとされるのが好ましく、より好ましくは、４〜６ｍｍとされ、図示例では５ｍｍとされている。
上下寸法ｙが小さすぎるとねじれ易くなり、大きすぎると口中で嵩張る。
【００２２】
次に、本実施例のスポーツ用マウスピース１の使用について説明する。
図５は、本実施例のスポーツ用マウスピースの装着状態を示す断面図である。
図６は、保護部に下側の臼歯がはめ込まれ、噛み合わせた状態を示す図である。
【００２３】
まず、マウスピース１を口腔内に入れ、下の歯の裏側に沿って係止部材５を配置する。そして、図６に示すように、外側片１１、内側片１３および板状片７により形成される下向き略コ字形状溝に、下の臼歯を係合して装着する。
このようにマウスピース１を口腔内に装着した状態では、係止部材５は、下側の前歯の下端部、つまり、舌側の歯と歯茎の境界部に当接する。
【００２４】
外側片１１と内側片１３が互いに近接するように形成されていることで、板状片７、外側片１１および内側片１３により構成される下向き略コ字形状溝を弾性変形して下側の臼歯に無理嵌めすることで、歯から抜けにくくでき、歯に安定して固定できる。
また、マウスピース１を下側の歯に装着した状態では、外側片１１の下端部１１ａが、下側の臼歯の側面の凹みｕに入り込み、マウスピース１が、安定して固定される。
【００２５】
また、係止部材５の左右両端部５ａを内側片１３の下端部に連設し、かつ、係止部材５の上下寸法を小さく形成したことで、マウスピース１を口腔内に入れた際に、異物感なく装着でき、しかもマウスピース１を装着していても会話がし易い。
【００２６】
また、板状片７を弓形に形成したことで、マウスピース１を装着した状態において、歯列のアーチに沿って板状片７が配置され、噛み易い構造を得られた。
さらに、板状片７の前端７ａを後端７ｂより厚く形成したことで、均等にかみ合わせることができる。
【００２７】
このように口腔内にマウスピース１を装着した状態で各種スポーツをすることができる。本発明のマウスピース１を装着していることで、強くかみ合わせても歯が板状片７に均等に、かつ安定して当たり、歯が欠損することがない。
【００２８】
係止部材５と保護部３の内、少なくとも保護部３は、柔軟でゴム質の弾性材により形成されている。本実施例では、係止部材５と保護部３との双方が、シリコンゴム、ウレタンゴム、ゴム、ＥＶＡ樹脂（エチレン−酢酸ビニル共重合樹脂）またはエラストマー等の柔軟でゴム質の素材により一体形成されている。なお、少なくとも保護部３の板状片７は、臼歯の噛みしめによって僅かに弾性変形すると共に、その噛みしめの解除により元の状態に復元する弾性力を有するよう構成されている。
【００２９】
本発明のスポーツ用マウスピースは、上記実施例の構成に限らず、適宜変更可能である。たとえば、上記実施例では、係止部材５は、内側片１３，１３同士を連結するように設けられ、歯の裏側を覆うように配置されたが、歯の表側を覆うように係止部材を設けてもよい。つまり、外側片１１，１１同士を連結するように係止部材５を設ける構成としてもよい。
【符号の説明】
【００３０】
１    スポーツ用マウスピース
５    係止部材
１１  外側片
１３  内側片
【図１】
2014014499.tif 000003
【図２】
2014014499.tif 000004
【図３】
2014014499.tif 000005
【図４】
2014014499.tif 000006
【図５】
2014014499.tif 000007
【図６】
2014014499.tif 000008